(57)【特許請求の範囲】
【請求項１】
トナーを記録紙に定着させる定着部の加熱のために補助的に電力を供給する補助電源と、
前記定着部を前記補助電源からの電力で加熱する第１定着ヒータと、
外部電源からの電力で前記定着部を加熱する第２定着ヒータと、
前記補助電源を前記外部電源により充電するか否かを制御する充電制御手段と、
前記充電制御手段による充電で前記補助電源が、前記定着部の急速立ち上げ時における第１定着ヒータの駆動に必要な電力量である予め定められた蓄電量に達しているか否かを判別する蓄電量判別手段と、
当該画像形成装置の主電源スイッチがオンになったとき、前記蓄電量判別手段によって前記補助電源が前記予め定められた蓄電量に達していないと判別された場合は、前記第１定着ヒータ及び第２定着ヒータを駆動させることなく、前記充電制御手段に前記補助電源を充電させ、前記蓄電量判別手段によって前記補助電源が前記予め定められた蓄電量に達していると判別された場合に、前記第１定着ヒータ及び第２定着ヒータが駆動されて前記定着部が急速に立ち上げられる制御を行う制御手段とを備え、
前記蓄電量判別手段は、記録紙に画像記録を行う記録手段による画像記録動作の開始前に、前記補助電源の蓄電量が、前記記録手段による画像記録中に前記第１定着ヒータに供給する電力量に達しているか否かを判別し、
前記画像記録動作の開始前に、前記蓄電量判別手段によって、前記補助電源の蓄電量が前記画像記録中に前記第１定着ヒータに供給する電力量に達していると判別された場合、前記制御手段は、前記第２定着ヒータにより前記定着部を加熱すると共に、前記画像記録中に前記補助電源から供給される電力で前記第１定着ヒータによって前記定着部が加熱される状態とし、前記蓄電量判別手段によって、前記補助電源の蓄電量が前記画像記録中に前記第１定着ヒータに供給する電力量に達していないと判別された場合は、前記制御手段が、前記第２定着ヒータにより前記定着部を加熱すると共に、前記記録手段の画像記録速度を、前記第１定着ヒータによる前記定着部の加熱が不要な速度まで低下させる制御を行う画像形成装置。
【請求項２】
トナーを記録紙に定着させる定着部の加熱のために補助的に電力を供給する補助電源と、
前記定着部を前記補助電源からの電力で加熱する第１定着ヒータと、
外部電源からの電力で前記定着部を加熱する第２定着ヒータと、
前記補助電源を前記外部電源により充電するか否かを制御する充電制御手段と、
前記充電制御手段による充電で前記補助電源の蓄電量が、前記定着部の急速立ち上げ時における前記第１定着ヒータの駆動に必要な電力量と、記録紙に画像記録を行う記録手段による画像記録中に前記第１定着ヒータに供給する電力量とを合算した合算値に達しているか否かを判別する蓄電量判別手段と、
当該画像形成装置の主電源スイッチがオンになったとき、前記蓄電量判別手段によって前記補助電源の蓄電量が前記合算値に達していると判別された場合には、前記第１定着ヒータ及び第２定着ヒータが駆動されて前記定着部が急速に立ち上げられる制御を行い、前記画像記録動作時には、前記画像記録中に前記補助電源から供給される電力で前記第１定着ヒータによって前記定着部が加熱される状態とする制御を行う制御手段とを備え、
前記制御手段は、
当該画像形成装置の主電源スイッチがオンになったとき、前記蓄電量判別手段によって前記補助電源の蓄電量が前記合算値には満たないが、前記定着部の急速立ち上げ時における前記第１定着ヒータの駆動に必要な電力量には達していると判別された場合は、前記第１定着ヒータ及び第２定着ヒータが駆動される制御を行い、
その後、前記画像記録動作の開始前に、前記蓄電量判別手段によって、前記補助電源の蓄電量が、記録紙に画像記録を行う記録手段による画像記録中に前記第１定着ヒータに供給する電力量に達していると判別された場合は、前記第２定着ヒータにより前記定着部を加熱すると共に、前記画像記録中に前記補助電源から供給される電力で前記第１定着ヒータによって前記定着部が加熱される状態とし、
前記画像記録動作の開始前における前記蓄電量判別手段による判別で、前記補助電源の蓄電量が、前記画像記録中に前記第１定着ヒータに供給する電力量に達していないと判別された場合は、前記第２定着ヒータにより前記定着部を加熱すると共に、前記記録手段の画像記録速度を、前記第１定着ヒータによる前記定着部の加熱が不要な速度まで低下させる制御を行う画像形成装置。
【請求項３】
前記制御手段は、当該画像形成装置の主電源スイッチがオンになったとき、前記蓄電量判別手段によって前記補助電源の蓄電量が、前記定着部の急速立ち上げ時における前記第１定着ヒータの駆動に必要な電力量に達していないと判別された場合は、前記第１定着ヒータ及び第２定着ヒータを駆動させることなく、前記充電制御手段に前記補助電源を充電させる請求項２に記載の画像形成装置。
【請求項４】
操作者に対するメッセージを表示する表示手段と、
前記蓄電量判別手段によって前記補助電源が前記予め定められた蓄電量に達していると判別されるまで、前記制御手段が、前記前記第１定着ヒータ及び第２定着ヒータが駆動されないように制御する場合には、前記補助電源が充電中である旨のメッセージを前記表示手段に表示させる表示制御手段と
を更に備えた請求項１に記載の画像形成装置。
【発明の詳細な説明】
【技術分野】
【０００１】
本発明は、熱によりトナーを記録紙に定着させる定着部を有する画像形成装置に関する。
【背景技術】
【０００２】
従来から、コピー機等の画像形成装置においては、熱によりトナーを記録紙に定着させる定着部を、短時間で定着可能温度まで上昇させるために、充電可能な補助電源（キャパシタや二次電池等）を備え、商用電源（外部電源）及び補助電源の両方の電力を用いて大電流を定着ヒータに流すことで立上り時間を短縮するものがある。このような画像形成装置しては、さらに、主電源投入時に補助電源の蓄電量を検出し、補助電源の蓄電量が規定値に達していないときは、補助電源からは定着ヒータに給電をせず、商用電源からのみの電力を定着ヒータに供給して定着部を加熱するものが提案されている（下記特許文献１参照）。
【特許文献１】特開２００３−２５７５９０号公報
【発明の開示】
【発明が解決しようとする課題】
【０００３】
しかしながら、上記特許文献１に示される画像形成装置の場合、補助電源の蓄電量が足りないときは、商用電源からのみの電力を定着ヒータを供給して定着部を加熱するため、定着部が定着可能温度になるまでに長時間を要する。また、印字中は、記録紙に定着ローラの熱が奪われて定着温度が落ち込むことがあるため、補助電源の電力を補助的に定着ヒータに供給することが好ましいが、上記のように補助電源の蓄電量が充分でない状態で定着部を立ち上げた場合、定着部が定着可能温度に達した直後は、印字中に定着温度の落ち込みが発生しても、補助電源の電力を定着ヒータに供給することができない。
【０００４】
本発明は、上記問題点に鑑みてなされたものであり、補助電源の蓄電量に応じた定着部の立ち上げ制御を行って、補助電源に蓄積されている電力を有効活用しつつ、ユーザの操作利便性も確保することを目的とする。
【課題を解決するための手段】
【０００５】
請求項１に係る発明は、トナーを記録紙に定着させる定着部の加熱のために補助的に電力を供給する補助電源と、
前記定着部を前記補助電源からの電力で加熱する第１定着ヒータと、
外部電源からの電力で前記定着部を加熱する第２定着ヒータと、
前記補助電源を前記外部電源により充電するか否かを制御する充電制御手段と、
前記充電制御手段による充電で前記補助電源が、前記定着部の急速立ち上げ時における第１定着ヒータの駆動に必要な電力量である予め定められた蓄電量に達しているか否かを判別する蓄電量判別手段と、
当該画像形成装置の主電源スイッチがオンになったとき、前記蓄電量判別手段によって前記補助電源が前記予め定められた蓄電量に達していないと判別された場合は、前記第１定着ヒータ及び第２定着ヒータを駆動させることなく、前記充電制御手段に前記補助電源を充電させ、前記蓄電量判別手段によって前記補助電源が前記予め定められた蓄電量に達していると判別された場合に、前記第１定着ヒータ及び第２定着ヒータが駆動されて前記定着部が急速に立ち上げられる制御を行う制御手段とを備え、
前記蓄電量判別手段は、記録紙に画像記録を行う記録手段による画像記録動作の開始前に、前記補助電源の蓄電量が、前記記録手段による画像記録中に前記第１定着ヒータに供給する電力量に達しているか否かを判別し、
前記画像記録動作の開始前に、前記蓄電量判別手段によって、前記補助電源の蓄電量が前記画像記録中に前記第１定着ヒータに供給する電力量に達していると判別された場合、前記制御手段は、前記第２定着ヒータにより前記定着部を加熱すると共に、前記画像記録中に前記補助電源から供給される電力で前記第１定着ヒータによって前記定着部が加熱される状態とし、前記蓄電量判別手段によって、前記補助電源の蓄電量が前記画像記録中に前記第１定着ヒータに供給する電力量に達していないと判別された場合は、前記制御手段が、前記第２定着ヒータにより前記定着部を加熱すると共に、前記記録手段の画像記録速度を、前記第１定着ヒータによる前記定着部の加熱が不要な速度まで低下させる制御を行う画像形成装置である。
【０００６】
この構成では、画像形成装置の主電源スイッチがオンになったとき、蓄電量判別手段によって補助電源が予め定められた蓄電量に達していないと判別されると、制御手段は、第１定着ヒータ及び第２定着ヒータを駆動させることなく、充電制御手段に補助電源を充電させ、一方、蓄電量判別手段によって補助電源が予め定められた蓄電量に達していると判別された場合には、制御手段が、第１定着ヒータ及び第２定着ヒータが駆動されるように制御することによって、画像形成装置の主電源スイッチがオンとされたときに、補助電源の蓄電量に応じた第１定着ヒータ及び第２定着ヒータの駆動制御を行う。
【０００７】
また、この構成では、画像形成装置の主電源スイッチがオンになったとき、補助電源の蓄電量が、定着部の急速立ち上げ時における第１定着ヒータの駆動に必要な電力量に達するまでは、制御手段は充電制御手段に補助電源を充電させるが、補助電源の蓄電量が当該電力量に達していれば、制御手段は第１定着ヒータ及び第２定着ヒータが駆動されるように制御する。
【０００８】
そして、制御手段は、画像形成動作の開始前に、補助電源の蓄電量が画像形成中に第１定着ヒータに供給する電力量に達しているか否かに応じた更なる制御を行う。制御手段は、画像形成動作の開始前に補助電源の蓄電量が画像形成中に第１定着ヒータに供給する電力量に達している場合、画像形成中に補助電源から供給される電力で第１定着ヒータによる定着部の加熱が可能な状態とするが、補助電源の蓄電量が画像形成中に第１定着ヒータに供給する電力量に達していない場合は、記録手段の画像形成速度を、前記第１定着ヒータによる前記定着部の加熱が不要な速度まで低下させるように制御する。
【０００９】
請求項２に係る発明は、トナーを記録紙に定着させる定着部の加熱のために補助的に電力を供給する補助電源と、
前記定着部を前記補助電源からの電力で加熱する第１定着ヒータと、
外部電源からの電力で前記定着部を加熱する第２定着ヒータと、
前記補助電源を前記外部電源により充電するか否かを制御する充電制御手段と、
前記充電制御手段による充電で前記補助電源の蓄電量が、前記定着部の急速立ち上げ時における前記第１定着ヒータの駆動に必要な電力量と、記録紙に画像記録を行う記録手段による画像記録中に前記第１定着ヒータに供給する電力量とを合算した合算値に達しているか否かを判別する蓄電量判別手段と、
当該画像形成装置の主電源スイッチがオンになったとき、前記蓄電量判別手段によって前記補助電源の蓄電量が前記合算値に達していると判別された場合には、前記第１定着ヒータ及び第２定着ヒータが駆動されて前記定着部が急速に立ち上げられる制御を行い、前記画像記録動作時には、前記画像記録中に前記補助電源から供給される電力で前記第１定着ヒータによって前記定着部が加熱される状態とする制御を行う制御手段とを備え、
前記制御手段は、
当該画像形成装置の主電源スイッチがオンになったとき、前記蓄電量判別手段によって前記補助電源の蓄電量が前記合算値には満たないが、前記定着部の急速立ち上げ時における前記第１定着ヒータの駆動に必要な電力量には達していると判別された場合は、前記第１定着ヒータ及び第２定着ヒータが駆動される制御を行い、
その後、前記画像記録動作の開始前に、前記蓄電量判別手段によって、前記補助電源の蓄電量が、記録紙に画像記録を行う記録手段による画像記録中に前記第１定着ヒータに供給する電力量に達していると判別された場合は、前記第２定着ヒータにより前記定着部を加熱すると共に、前記画像記録中に前記補助電源から供給される電力で前記第１定着ヒータによって前記定着部が加熱される状態とし、
前記画像記録動作の開始前における前記蓄電量判別手段による判別で、前記補助電源の蓄電量が、前記画像記録中に前記第１定着ヒータに供給する電力量に達していないと判別された場合は、前記第２定着ヒータにより前記定着部を加熱すると共に、前記記録手段の画像記録速度を、前記第１定着ヒータによる前記定着部の加熱が不要な速度まで低下させる制御を行う画像形成装置である。
【００１０】
請求項３に係る発明は、請求項２に記載の画像形成装置であって、前記制御手段は、当該画像形成装置の主電源スイッチがオンになったとき、前記蓄電量判別手段によって前記補助電源の蓄電量が、前記定着部の急速立ち上げ時における前記第１定着ヒータの駆動に必要な電力量に達していないと判別された場合は、前記第１定着ヒータ及び第２定着ヒータを駆動させることなく、前記充電制御手段に前記補助電源を充電させるものである。
【００１１】
これらの構成では、画像形成装置の主電源スイッチがオンになったとき、補助電源の蓄電量が、定着部の急速立ち上げ時における第１定着ヒータの駆動に必要な電力量と、記録紙に画像形成を行う記録手段による画像形成中に第１定着ヒータに供給する電力量とを合算した合算値に達した場合に、制御手段が、第１定着ヒータ及び第２定着ヒータが駆動されるように制御するので、定着部を急速に定着可能温度に到達させることができると共に、定着部が定着可能温度に達した直後から、画像形成中における定着温度の落ち込みに対して、補助電源の電力を定着ヒータに供給して加熱補助を行うことができる。
【００１２】
そして、画像形成装置の主電源スイッチがオンになったときに、制御手段は、補助電源の蓄電量が、定着部の急速立ち上げ時における第１定着ヒータの駆動に必要な電力量と、記録紙に画像形成を行う記録手段による画像形成中に第１定着ヒータに供給する電力量とを合算した合算値には満たないとしても、定着部の急速立ち上げ時における第１定着ヒータの駆動に必要な電力量に達していれば、第１定着ヒータ及び第２定着ヒータが駆動されるように制御する。そして、画像形成前には、制御手段は、画像形成動作の開始前に補助電源の蓄電量が画像形成中に第１定着ヒータに供給する電力量に達しているか否かに応じて更なる制御を行い、画像形成中に補助電源から供給される電力で第１定着ヒータによる定着部の加熱が可能な状態とするか、記録手段の画像形成速度を、前記第１定着ヒータによる前記定着部の加熱が不要な速度まで低下させるように制御する。
【００１３】
請求項４に係る発明は、請求項１に記載の画像形成装置であって、操作者に対するメッセージを表示する表示手段と、
前記蓄電量判別手段によって前記補助電源が前記予め定められた蓄電量に達していると判別されるまで、前記制御手段が、前記前記第１定着ヒータ及び第２定着ヒータが駆動されないように制御する場合には、前記補助電源が充電中である旨のメッセージを前記表示手段に表示させる表示制御手段と
を更に備えたものである。
【００１４】
この構成では、補助電源が予め定められた蓄電量に達するまで、第１定着ヒータ及び第２定着ヒータを駆動させない場合には、補助電源が充電中である旨のメッセージを表示手段に表示して、当該画像形成装置の操作者に、補助電源が充電中であることを認識させるようにしている。
【発明の効果】
【００１５】
請求項１に記載の発明によれば、補助電源の蓄電量に応じて、第１定着ヒータ及び第２定着ヒータを駆動させるか、充電制御手段に補助電源を充電させるかを制御することで、補助電源に蓄積されている電力を有効活用しつつ、ユーザの操作利便性も確保することができる。
【００１６】
また、主電源スイッチがオンになったときにおける定着部が立ち上がるまでの待ち時間を減らすことができ、しかも、画像形成時には、補助電源の蓄電量に応じた最適な画像形成動作を確保することができる。
【００１７】
請求項２及び請求項３に記載の発明によれば、定着部を急速に定着可能温度に到達させることができると共に、定着部が定着可能温度に達した直後から、画像形成中における定着温度の落ち込みに対して、補助電源の電力を定着ヒータに供給して加熱補助を行うことができる。しかも、画像形成時には、補助電源の蓄電量に応じた最適な画像形成動作を確保することができる。
【００１８】
請求項４に記載の発明は、補助電源の蓄電量が予め定められた蓄電量に達するまで、第１定着ヒータ及び第２定着ヒータを駆動させない制御が行われる場合に、当該画像形成装置の操作者に、補助電源が充電中であることを認識させることができる。
【発明を実施するための最良の形態】
【００１９】
以下、本発明に係る実施形態を図面に基づいて説明する。図１は、本発明に係る画像形成装置の一実施形態である複合機の内部構成を示すブロック図であり、特に定着ローラを加熱する定着ヒータのオン／オフを制御する定着ヒータ制御機構を中心とした機能構成図である。図２は、複合機１の各状態種別（初期立ち上げ状態、第１プリント状態、第２プリント状態、レディ状態、スリープ状態、充電状態及び急速立ち上げ状態）及び、各状態から他の状態に遷移する契機となるイベントの種別とを示す状態遷移情報である。なお、本実施形態では、発明に係る画像形成装置を、例えばプリンタ、複写機、ファクシミリ装置、又はこれらの機能を併せ持つ上記複合機として説明する。但し、本発明に係る画像形成装置を複合機のみに限定する趣旨ではない。
【００２０】
外部電源２は、例えばいわゆる商用電源で、電力会社によるＡＣ（交流）電源である。電源制御回路２１は、複合機１を起動させる主電源スイッチであるメインスイッチ（主電源スイッチ）２２のオン又はオフに応じて、外部電源２からの電力を装置各部に供給するか否かを制御するものである。
【００２１】
複合機１は、記録部１１、指示受付部１２、タイマ１３、定着ローラ温度センサ１４、制御部１５、第１定着ヒータ１７、ヒータＯＮ／ＯＦＦ制御回路１８、電気二重層キャパシタ（補助電源）１９、充電ＯＮ／ＯＦＦ制御回路２５、第２定着ヒータ２６、第２定着ヒータ駆動回路２７、蓄電量検出部２８及び表示部２９を備える。
【００２２】
記録部１１は、記録紙にトナー画像を記録するものであり、複合機１では、例えばコピー機能、プリンタ機能、ファクシミリ受信機能が実行される際にプリント指示を受けて動作する。記録部１１は、スキャナ部１１１、画像形成部１１２及び定着部１１３を備える。
【００２３】
スキャナ部１１１は、原稿照射ランプ及びＣＣＤ等からなり、コピーの対象となる原稿上に記載されている画像を読み取るものである。画像形成部１１２は、例えば、感光体ドラム、帯電装置、露光装置及び転写装置等からなり、電子写真方式で記録紙に画像を形成する機構である。定着部１１３は、熱ローラ及び加圧ローラからなる定着ローラ（図示省略）を備え、感光体ドラムでトナー画像が転写された記録紙を熱ローラ及び加圧ローラでニップし、熱及び圧力によりトナー画像を記録紙に定着させるものである。
【００２４】
指示受付部１２は、ユーザ等からの複合機１に対する各種動作実行指示を受け付けるものであり、例えば、コピー機能、プリンタ機能、ファクシミリ受信機能の実行指示等を受け付けるものである。指示受付部１２に対する各指示は、次のようにして入力される。例えば、コピー機能実行指示は、当該複合機１の操作パネル（図示省略）からユーザにより当該複合機１に入力される。プリンタ機能実行指示は、ネットワーク等により複合機１に接続された例えばＰＣ（パーソナルコンピュータ）から当該複合機１に送信される。ファクシミリ受信実行指示は、公衆回線等により複合機１に接続されたファクシミリ送信装置から当該複合機１に送信される。なお、プリント指示とは、記録部１１の動作により記録紙に画像を記録させる動作の実行指示であり、コピー機能、プリンタ機能、ファクシミリ受信機能等の実行指示の中に含まれる。
【００２５】
タイマ１３は、状態判別部１５２から指示を受けた時点からの経過時間や現在時刻を計時するものである。定着ローラ温度センサ１４は、定着ローラの温度を計測して、定着ローラ温度制御部１５１に出力するものである。
【００２６】
第１定着ヒータ１７及び第２定着ヒータ２６は、定着ローラを加熱するためのヒータであり、本実施形態では、ハロゲンヒータからなる。第１定着ヒータ１７は、例えば１３００〜１８００ＷのＤＣ（直流）ヒータで、第２定着ヒータ２６は、例えば１２００ＷのＡＣ（交流）ヒータである。第１定着ヒータ１７は、大電流を流して急速に加熱するために消費電力の大きいものを用いている。第１定着ヒータ１７及び第２定着ヒータ２６は隣接して設置されている。
【００２７】
電気二重層キャパシタ１９は、第１定着ヒータ１７を駆動するための補助電源として機能する。電気二重層キャパシタ１９は、大電流での充放電が可能である。電気二重層キャパシタ１９は、充放電の繰り返し寿命が比較的長いが（例えば数十万回のオーダー）、電荷を放出すると電力（電圧）が急速に低下するという特徴を有する。電気二重層キャパシタ１９の充電時間は例えば数十秒である。
【００２８】
ヒータＯＮ／ＯＦＦ制御回路１８は、電気二重層キャパシタ１９からの電力で第１定着ヒータ１７を駆動するか否かを制御するものである。すなわち、ヒータＯＮ／ＯＦＦ制御回路１８は、電気二重層キャパシタ１９からの電力で第１定着ヒータ１７を加熱するか否かを切り換え制御する。
【００２９】
充電ＯＮ／ＯＦＦ制御回路（充電制御手段）２５は、外部電源２からの電力を電気二重層キャパシタ１９に供給するか否かを切り換えることにより、電気二重層キャパシタ１９を充電するか否かを切り換えるスイッチである。
【００３０】
第２定着ヒータ駆動回路２７は、外部電源２を電力供給源として第２定着ヒータ２６を駆動するか否か、すなわち、第２定着ヒータ２６を加熱させるか否かを切り換えるスイッチとして機能する。当該スイッチをオンにすると第２定着ヒータ２６が駆動され、当該スイッチをオフにすると第２定着ヒータ２６が停止される。
【００３１】
制御部１５は、複合機１全体の動作を制御するもので、プログラムを実行するＣＰＵ（中央処理装置）、前記プログラムを格納するＲＯＭ（リードオンリーメモリ）、前記プログラム実行時の一時的な記憶領域として用いられるＲＡＭ（ランダムアクセスメモリ）等から構成される。制御部（制御手段）１５は、動作制御部１５０、定着ローラ温度制御部１５１、状態判別部１５２、スイッチ制御部１５３及び表示制御部１５４を備える。
【００３２】
動作制御部１５０は、複合機１各部の動作制御を司るものであり、指示受付部１２で受け付けられるコピー機能やプリント機能等の実行指示に基づいて、記録部１１等の動作を制御する。動作制御部１５０は、後述する第２プリント状態における、定着部１１３の定着ローラ回転速度制御も行う。なお、本実施形態では、制御部１５が特許請求の範囲でいう制御手段に該当する（但し、制御手段を当該構成に限定する趣旨ではない）。
【００３３】
状態判別部（蓄電量判別手段）１５２は、当該複合機１の現在の状態が、初期立ち上げ状態、第１プリント状態、第２プリント状態、レディ状態、スリープ状態、充電状態、及び急速立ち上げ状態のいずれにあるかを判別するものである。状態判別部１５２は、電源制御回路２１から送出されてくるメインスイッチ２２のオン又はオフ状態や、指示受付部１２からプリント指示が所定時間入力されないこと、更には、蓄電量検出部２８によって検出される電気二重層キャパシタ１９の蓄電量等に基づいて、複合機１が上記いずれの状態であるかを判別する。
【００３４】
初期立ち上げ状態は、複合機１に電源が投入された時点から（メインスイッチ２２がオンとされてから）、定着ローラの温度が定着可能な所定の第１の温度範囲（例えば、180℃前後）に至るまでの状態である。
【００３５】
レディ状態は、プリント指示の入力を待機し、プリント指示があれば即座に定着ローラを上記第１の温度範囲まで上昇させることができる状態のことである。このレディ状態では、定着ローラの温度が、上記第１の温度範囲内よりも低い第２の温度範囲（例えば、90℃前後）に保たれる。
【００３６】
また、スリープ状態は、省電力化のために第１定着ヒータ１７及び第２定着ヒータ２６をオフにした状態である。蓄電量検出部２８によって検出された電気二重層キャパシタ１９の蓄電量が、定着部１１３を急速に立ち上げるための第１定着ヒータ１７の駆動に必要な電力量Ｐ１と、記録紙に画像記録を行う記録部１１による画像記録中に、記録紙が定着ローラを通過することによる定着ローラ表面温度の低下を補うために第１定着ヒータ１７を駆動するのに必要な電力量Ｐ２とを合算した電力量に達しており、かつ、一定時間プリント指示が入力されない場合に、レディ状態からスリープ状態に移行するようになっている。
【００３７】
第１プリント状態は、電気二重層キャパシタ１９の蓄電量が所定の値（後述）に達しているときに、第１定着ヒータ１７の駆動・非駆動を制御して定着ローラ温度を上記第１の温度範囲内に保って画像記録動作を行う状態をいう。
【００３８】
第２プリント状態は、電気二重層キャパシタ１９の蓄電量が所定の値に達していないときに、定着ローラの表面温度が上記第１の温度範囲に満たない場合でも記録動作（特に定着動作）が可能となるように、第１プリント状態における記録動作速度よりも低速で画像記録動作を行う状態をいう。
【００３９】
急速立ち上げ状態は、スリープ状態のときにプリント指示を受け付けた場合に、この受付時点から定着ローラの温度が定着可能な上記第１の温度範囲に立ち上がる状態をいう。
【００４０】
充電状態は、第１定着ヒータ１７及び第２定着ヒータ２６を駆動させずに、電気二重層キャパシタ１９を充電させる状態である。
【００４１】
状態判別部１５２は、図２に示す状態遷移情報を予め記憶しており、現在の状態（遷移元状態）、及び発生したイベントから次に遷移する状態（遷移先状態）を判別する。状態判別部１５２は、電源制御回路２１から送出されてくるメインスイッチ２２のオン又はオフ状態や、指示受付部１２からプリント指示が所定時間入力されないこと等に基づいて、複合機１が実行すべき上記いずれかの状態を判別する。状態判別部１５２は、判別した状態を示す情報をスイッチ制御部１５３に送出する。
【００４２】
定着ローラ温度制御部１５１は、上記第１プリント状態において、定着ローラの温度が上記第１の温度範囲内となるように、ヒータＯＮ／ＯＦＦ制御回路１８及び第２定着ヒータ駆動回路２７を駆動制御して、第１定着ヒータ１７及び第２定着ヒータ２６のオンオフを制御するものである。また、定着ローラ温度制御部１５１は、レディ状態において、定着ローラの温度が所定の第２の温度範囲内にあるように第２定着ヒータ２６のオン・オフを制御するものである。これら定着ローラ温度制御部１５１による各制御は、スイッチ制御部１５３を介して行われる。
【００４３】
スイッチ制御部１５３は、状態判別部１５２によって判別された現在の複合機１の各状態毎に、或いは、定着ローラ温度制御部１５１からの指示に基づいて、ヒータＯＮ／ＯＦＦ制御回路１８、充電ＯＮ／ＯＦＦ制御回路２５及び第２定着ヒータ駆動回路２７の切り換えを制御するものである。
【００４４】
表示制御部（表示制御手段）１５４は、表示部２９の動作を制御するものであり、表示部２９に表示させる表示内容（操作者に対する各種メッセージ等）を管理する。
【００４５】
蓄電量検出部（蓄電量判別手段の一部として機能）２８は、電気二重層キャパシタ１９からなる補助電源の蓄電量を検出するものである。蓄電量検出部２８は、検出した蓄電量を、状態判別部１５２及び動作制御部１５０に送出する。
【００４６】
表示部（表示手段）２９は、ＬＣＤ（Liquid Crystal Display）等からなり、表示制御部１５４による制御の下、操作者に対する各種メッセージを表示する。
【００４７】
図３は、上記複合機１の各状態におけるヒータＯＮ／ＯＦＦ制御回路１８、充電ＯＮ／ＯＦＦ制御回路２５及び第２定着ヒータ駆動回路２７の状態を示す図である。この複合機１の各状態に対応するヒータＯＮ／ＯＦＦ制御回路１８、充電ＯＮ／ＯＦＦ制御回路２５及び第２定着ヒータ駆動回路２７の切替制御は、スイッチ制御部１５３によって行われる。複合機１の各状態に対応するヒータＯＮ／ＯＦＦ制御回路１８、充電ＯＮ／ＯＦＦ制御回路２５及び第２定着ヒータ駆動回路２７の状態は、スイッチ制御部１５３が自ら記憶しておいてもよいし、図略の記憶部に記憶させておき、スイッチ制御部１５３が必要に応じて読み出すものとしてもよい。また、充電ＯＮ／ＯＦＦ制御回路２５及び第２定着ヒータ駆動回路２７による電力供給制御は、電力を供給する場合をオン、電力を供給しない場合をオフとして示す。
【００４８】
初期立ち上げ状態及び急速立ち上げ状態においては、充電ＯＮ／ＯＦＦ制御回路２５はオフとされる。また、ヒータＯＮ／ＯＦＦ制御回路１８により第１定着ヒータ１７はオンとされ、第２定着ヒータ駆動回路２７により第２定着ヒータ２６はオンとされる。
【００４９】
また、レディ状態においては、ヒータＯＮ／ＯＦＦ制御回路１８により第１定着ヒータ１７はオフとされ、充電ＯＮ／ＯＦＦ制御回路２５はオンとされる。また、第２定着ヒータ駆動回路２７により第２定着ヒータ２６はオンとされる。
【００５０】
スリープ状態では、ヒータＯＮ／ＯＦＦ制御回路１８により第１定着ヒータ１７がオフとされる。充電ＯＮ／ＯＦＦ制御回路２５はオフとされ、電気二重層キャパシタ１９は充電されない。第２定着ヒータ駆動回路２７により第２定着ヒータ２６もオフとされる。
【００５１】
第１プリント状態においては、定着ローラ温度センサ１４からスイッチ制御部１５３に入力される定着ローラの温度値に基づいて、ヒータＯＮ／ＯＦＦ制御回路１８により第１定着ヒータ１７のオン又はオフが切り換えられ、定着ローラの温度が上記第１の温度範囲に保たれるようになっている。充電ＯＮ／ＯＦＦ制御回路２５はオフとされる。第２定着ヒータ駆動回路２７により第２定着ヒータ２６はオンとされる。
【００５２】
第２プリント状態においては、ヒータＯＮ／ＯＦＦ制御回路１８により第１定着ヒータ１７がオフとされ、充電ＯＮ／ＯＦＦ制御回路２５もオフとされる。但し、第２定着ヒータ駆動回路２７により第２定着ヒータ２６はオンとされる。
【００５３】
充電状態では、ヒータＯＮ／ＯＦＦ制御回路１８により第１定着ヒータ１７がオフとされ、第２定着ヒータ駆動回路２７により第２定着ヒータ２６もオフとされるが、充電ＯＮ／ＯＦＦ制御回路２５はオンとされる。
【００５４】
次に、本発明に係る複合機１における定着ヒータ制御機構の回路イメージについて説明する。図４は、定着ヒータ制御機構の回路イメージ（概略）を示す回路図である。
【００５５】
外部電源（ＡＣ）２は、第２定着ヒータ駆動回路２７を介して第２定着ヒータ２６に接続される。外部電源２は、ＡＣ電流をＤＣ電流に整流するダイオード４１を介して第１定着ヒータ１７側に接続される。これにより、第１定着ヒータ１７にはＤＣ電流が流れ、第２定着ヒータ２６にはＡＣ電流が流れる。これら第１定着ヒータ１７及び第２定着ヒータ２６により定着ヒータ３０が構成される。
【００５６】
第１定着ヒータ１７が接続される回路には、充電ＯＮ／ＯＦＦ制御回路２５、電気二重層キャパシタ１９、及びヒータＯＮ／ＯＦＦ制御回路１８が接続されている。充電ＯＮ／ＯＦＦ制御回路２５は、電気二重層キャパシタ１９が外部電源２からの電力で充電される接続とするか否かを切り換えるものである。ダイオード４１からの電流は、充電ＯＮ／ＯＦＦ制御回路２５を介して電気二重層キャパシタ１９に供給される。
【００５７】
電気二重層キャパシタ１９は、外部電源２の電力で充電される。また、電気二重層キャパシタ１９は、第１定着ヒータ１７にも接続されて、電気二重層キャパシタ１９の電力を第１定着ヒータ１７に供給するようになっている。これら電気二重層キャパシタ１９と第１定着ヒータ１７との間には、ヒータＯＮ／ＯＦＦ制御回路１８が接続されており、電気二重層キャパシタ１９からの電力で第１定着ヒータ１７を駆動するか否かを制御できるようになっている。
【００５８】
また、第２定着ヒータ２６側の回路は、外部電源２と第２定着ヒータ２６が接続されている。これら外部電源２と第２定着ヒータ２６との間には、第２定着ヒータ駆動回路２７が接続されており、この第２定着ヒータ駆動回路２７により、外部電源２からの電力で第２定着ヒータ２６を駆動するか否かを制御できるようになっている。
【００５９】
次に、複合機１における定着ヒータ駆動制御時の処理について第１実施形態を説明する。図５及び図６は、複合機１における定着ヒータ駆動制御時の処理について第１実施形態を示すフローチャート、図７は複合機１の動作状態と、各動作状態における使用電力と、補助電源の蓄電量との関係を示す図である。
【００６０】
複合機１のメインスイッチ２２（主電源スイッチ）が、オンとされたことを電源制御回路２１が検知すると（Ｓ１でＹＥＳ）、電源制御回路２１はメインスイッチ２２がオン状態となったことを示す信号を状態判別部１５２及び蓄電量検出部２８に送出する。蓄電量検出部２８は、当該信号を電源制御回路２１から受け取ると、電気二重層キャパシタ１９の蓄電量が所定量に達しているかを検出する。
【００６１】
ここで、上記「所定量」とは、定着部１１３を急速に立ち上げるための第１定着ヒータ１７の駆動に必要な電力量Ｐ１と、記録紙に画像記録を行う記録部１１による画像記録中に、記録紙が定着ローラを通過することによる定着ローラ表面温度の低下を補うために第１定着ヒータ１７を駆動するのに必要な電力量Ｐ２とを合算した合算値からなる電力量である。
【００６２】
続いて、状態判別部１５２は、蓄電量検出部２８によって検出された上記蓄電量が、上記Ｐ１＋Ｐ２に達しているか否かを判別する（Ｓ２）。蓄電量検出部２８の検出した蓄電量が、上記Ｐ１＋Ｐ２に達している場合（Ｓ２でＹＥＳ）、状態判別部１５２は、これをもって複合機１の状態を初期立ち上げ状態と判別し、この装置状態を示す信号をスイッチ制御部１５３に送出する。
【００６３】
蓄電量検出部２８の検出した蓄電量が、上記Ｐ１＋Ｐ２に達していない場合は（Ｓ２でＮＯ）、状態判別部１５２は、複合機１の状態を初期立ち上げ状態には移行させない。表示制御部１５４は、「補助電源を充電中です。しばらくお待ち下さい」等のメッセージを表示部２９に表示させる（Ｓ２３）。そして、状態判別部１５２は、蓄電量検出部２８の検出した蓄電量が、上記Ｐ１＋Ｐ２に達していないことをもって、複合機１の状態を充電状態と判別し、スイッチ制御部１５３は、ヒータＯＮ／ＯＦＦ制御回路１８により第１定着ヒータ１７をオフとし、充電ＯＮ／ＯＦＦ制御回路２５はオンとし、第２定着ヒータ駆動回路２７に第２定着ヒータ２６をオフとして（Ｓ２４）、電気二重層キャパシタ１９を外部電源２の電力で充電する。
【００６４】
スイッチ制御部１５３は、上記初期立ち上げ状態を示す信号を受け取ると、充電ＯＮ／ＯＦＦ制御回路２５をオフとし、ヒータＯＮ／ＯＦＦ制御回路１８により第１定着ヒータ１７をオンとし、さらに第２定着ヒータ駆動回路２７に第２定着ヒータ２６をオンとさせる（Ｓ３）。すなわち、外部電源２及び電気二重層キャパシタ１９の両方の電力を用いて定着部１１３が立ち上げられる。この定着部立ち上げ動作は、定着ローラ温度制御部１５１及びスイッチ制御部１５３により、定着ローラ温度センサ１４から得られる定着ローラの温度が、上述の第１の温度範囲に達したと検出されるまで継続される（Ｓ４）。この定着部立ち上げ動作により、電気二重層キャパシタ１９の蓄電量は、図７に示すように、Ｐ１＋Ｐ２から、定着部の立ち上げ補助電力時に消費される電力量Ｐ１だけ減少して、Ｐ２となる。
【００６５】
定着ローラ温度センサ１４により定着ローラの温度が第１の温度範囲に達すると（Ｓ４でＹＥＳ）、状態判別部１５２は、指示受付部１２からプリント指示を受け付けたことを示す信号が入力されたかを判断する（Ｓ５）。なお、このプリント指示は、上述したように、記録部１１の動作により記録紙に画像を記録させる動作の実行指示であり、複合機１に、プリント動作を伴う機能の実行指示（例えば、操作者によるコピー機能実行指示、外部接続されたパーソナルコンピュータからのプリント出力実行指示、外部のファクシミリ装置からのファクシミリデータ受信時における受信データのプリント出力指示等）が入力された場合に、指示受付部１２に受け付けられる。
【００６６】
指示受付部１２からプリント指示を受け付けたことを示す信号が入力された場合（Ｓ５でＹＥＳ）、状態判別部１５２は、複合機１の状態が第１プリント状態であると判断し、この装置状態を示す信号をスイッチ制御部１５３に送出する。スイッチ制御部１５３は、充電ＯＮ／ＯＦＦ制御回路２５をオフとし、第２定着ヒータ駆動回路２７に第２定着ヒータ２６をオンとさせた状態を維持するが、ヒータＯＮ／ＯＦＦ制御回路１８には、定着ローラ温度センサ１４から送られてくる温度情報に基づいて、定着ローラの温度が上記第１の温度範囲を保つように、適時に第１定着ヒータ１７のオン／オフを切り換えさせる（Ｓ６）。プリント時には、定着ローラへの通紙状況により、第２定着ヒータ２６による加熱だけでは、定着ローラの熱が記録紙に奪われて定着ローラの温度が低下することがあるため、かかる温度低下を回避して、定着ローラの温度を一定に保つためである。動作制御部１５０は、記録部１１に記録動作を実行させる（Ｓ７）。この記録動作時、電気二重層キャパシタ１９の蓄電量は、図７に示すように、Ｐ２となっているため、記録動作中に記録紙が定着ローラを通過することによる定着ローラ表面温度の低下を補うために第１定着ヒータ１７を駆動するのに必要な電力量Ｐ２を、電気二重層キャパシタ１９から第１定着ヒータ１７に供給することが可能である。この記録動作後は、電気二重層キャパシタ１９の蓄電量は供給された分だけＰ２から減少する。
【００６７】
上記記録部１１の記録動作により、プリントが終了すると（Ｓ８でＹＥＳ）、状態判別部１５２は、複合機１の状態がレディ状態になったと判別して、この装置状態を示す信号をスイッチ制御部１５３に送出する。スイッチ制御部１５３は、充電ＯＮ／ＯＦＦ制御回路２５をオンとし、ヒータＯＮ／ＯＦＦ制御回路１８はオフとして、第１定着ヒータ１７を停止状態として、第２定着ヒータ駆動回路２７はオンとして第２定着ヒータ２６を駆動状態としておく（Ｓ９）。このとき、電気二重層キャパシタ１９は充電されるため、電気二重層キャパシタ１９の蓄電量は、図７に示すように、時間の経過と共に増加して、Ｐ１＋Ｐ２に近づいていく。
【００６８】
なお、上記Ｓ５で指示受付部１２からプリント指示を受け付けたことを示す信号が状態判別部１５２に入力されない場合も（Ｓ５でＮＯ）、状態判別部１５２は、複合機１の状態がレディ状態になったと判別して、スイッチ制御部１５３はＳ９の処理を行う。
【００６９】
状態判別部１５２は、複合機１の状態を上記レディ状態と判別した場合、上記Ｓ９の処理を行うと共に、複合機１の状態をレディ状態を判別した時点からの時間経過の計測をタイマ１３に開始させる（Ｓ１０）。
【００７０】
このタイマ１３による経過時間計測中に、指示受付部１２でプリント指示を受け付けた場合（Ｓ１１でＹＥＳ）、蓄電量検出部２８は、電気二重層キャパシタ１９の蓄電量が、記録部１１による画像記録中に記録紙が定着ローラを通過することによる定着ローラ表面温度の低下を補うために第１定着ヒータ１７を駆動するのに必要な電力量Ｐ２に達しているかを検出する。
【００７１】
ここで、蓄電量検出部２８によって検出された電気二重層キャパシタ１９の電力量が上記電力量Ｐ２に達していると状態判別部１５２が判別した場合（Ｓ１８でＹＥＳ）、状態判別部１５２は、複合機１の状態が第１プリント状態であると判別し、この装置状態を示す信号をスイッチ制御部１５３に送出する。スイッチ制御部１５３は、充電ＯＮ／ＯＦＦ制御回路２５をオフとし、第２定着ヒータ駆動回路２７に第２定着ヒータ２６をオンとさせた状態を維持するが、ヒータＯＮ／ＯＦＦ制御回路１８には、定着ローラ温度センサ１４から送られてくる温度情報に基づいて、定着ローラの温度が上記第１の温度範囲を保つように、適時に第１定着ヒータ１７のオン／オフを切り換えさせる（Ｓ１９）。このとき、動作制御部１５０は、記録部１１（画像形成部１１２及び定着部１１３等）の動作速度を通常速度に設定する（Ｓ２０）。
【００７２】
また、上記電力量Ｐ２に達していない場合は（Ｓ１８でＮＯ）、状態判別部１５２は、複合機１の状態が第２プリント状態であると判別し、この装置状態を示す信号をスイッチ制御部１５３に送出する。スイッチ制御部１５３は、ヒータＯＮ／ＯＦＦ制御回路１８をオフとして第１定着ヒータ１７を非駆動とし、充電ＯＮ／ＯＦＦ制御回路２５をオフとする。但し、スイッチ制御部１５３は、第２定着ヒータ駆動回路２７をオンとして第２定着ヒータ２６を駆動する（Ｓ２１）。このとき、動作制御部１５０は、記録部１１（画像形成部１１２及び定着部１１３等）の動作速度を低速に設定する（Ｓ２２）。
【００７３】
ここで、上記「通常速度」とは、スイッチ制御部１５３によるヒータＯＮ／ＯＦＦ制御回路１８の制御で、上記第１の温度範囲を保つように第１定着ヒータ１７のオン／オフを切り換えて第１定着ヒータ１７によって定着ローラを加熱しながら、画像記録を行う場合の画像記録速度である。これに対して、上記「低速」とは、第１定着ヒータ１７による上記加熱を受けなくても記録紙へのトナー定着が可能となる画像記録速度をいう。定着ローラの回転速度を遅くして記録紙と定着ローラ表面との接触時間を長くすることによって、第１定着ヒータ１７による上記加熱がなくても、トナーを記録紙に定着させるようにする。従って、「通常速度」と「低速」とを比較した場合、「通常速度」よりも「低速」の方が遅い速度となる。
【００７４】
動作制御部１５０は、上記のように、記録部１１の動作速度を「通常速度」又は「低速」に設定した後、記録部１１に画像記録動作を行わせる（Ｓ７）。この後、処理はＳ８移行の処理が行われる。
【００７５】
また、複合機１がレディ状態にあるときに、プリント指示が指示受付部１２に受け付けられない場合は（Ｓ１１でＮＯ）、電気二重層キャパシタ１９の蓄電量が上記Ｐ１＋Ｐ２に達しており（Ｓ１２でＹＥＳ）、かつ、複合機１がレディ状態に移行してから所定時間（例えば、1分）が経過した場合に（Ｓ１３でＹＥＳ）、状態判別部１５２は、複合機１の状態をスリープ状態と判別して、この装置状態を示す信号をスイッチ制御部１５３に送出する。
【００７６】
スイッチ制御部１５３は、ヒータＯＮ／ＯＦＦ制御回路１８オフとして第１定着ヒータ１７を停止状態とし、充電ＯＮ／ＯＦＦ制御回路２５をオフとして、電気二重層キャパシタ１９への充電を停止させる。また、スイッチ制御部１５３は、第２定着ヒータ駆動回路２７もオフとして第２定着ヒータ２６を停止状態にする（Ｓ１４）。このように第１定着ヒータ１７及び第２定着ヒータ２６の両方を停止状態にすることによって、消費電力を低減した状態で、更なるプリント指示に待機する。
【００７７】
このスリープ状態のときに、プリント指示を受け付けたことを示す信号が指示受付部１２から状態判別部１５２に入力されると（Ｓ１５でＹＥＳ）、状態判別部１５２は、複合機１の状態が急速立ち上げ状態であると判別し、この装置状態を示す信号をスイッチ制御部１５３に送出する。この急速立ち上げ状態の場合、スイッチ制御部１５３は、充電ＯＮ／ＯＦＦ制御回路２５をオフとし、さらに、ヒータＯＮ／ＯＦＦ制御回路１８により第１定着ヒータ１７をオンとし、第２定着ヒータ駆動回路２７に第２定着ヒータ２６をオンとさせる（Ｓ１６）。定着ローラ温度センサ１４から得られる定着ローラの温度が、上述の第１の温度範囲に達したと検出されると（Ｓ１７でＹＥＳ）、処理はＳ６に戻り、Ｓ６乃至Ｓ１７の処理が繰り返される。
【００７８】
なお、上記Ｓ２以降の処理のいずれかの時点でメインスイッチ２２がオフになったことが検出されると、処理はＳ１に戻される。
【００７９】
次に、複合機１による定着ヒータ駆動制御時の処理の第２実施形態を説明する。図８及び図９は、複合機１による定着ヒータ駆動制御時の処理の第２実施形態を示すフローチャートである。なお、図５及び図６に示した第１実施形態と同様の処理は同符号を付して説明を省略する。
【００８０】
本第２実施形態では、複合機１のメインスイッチ２２がオンとされた場合（Ｓ１でＹＥＳ）、蓄電量検出部２８は、電気二重層キャパシタ１９の蓄電量を検出し、この検出結果に基づいて、状態判別部１５２が、定着部１１３を急速に立ち上げるための第１定着ヒータ１７の駆動に必要な電力量Ｐ１に達しているかを判別する（Ｓ３１）。そして、電気二重層キャパシタ１９の蓄電量が電力量Ｐ１に達していれば（Ｓ３１でＹＥＳ）、第１実施形態で初期立ち上げ状態への移行基準としていたＰ１＋Ｐ２に満たない電力量であっても、状態判別部１５２は、これをもって複合機１の状態が初期立ち上げ状態と判別し、この装置状態を示す信号をスイッチ制御部１５３に送出し、定着部１１３の立ち上げが行われる。（Ｓ３）。なお、蓄電量検出部２８の検出した蓄電量が、電力量Ｐ１に達していない場合は（Ｓ３１でＮＯ）、表示部２９のメッセージ表示（Ｓ２３）、及び電気二重層キャパシタ１９の充電（Ｓ２４）が行われる。
【００８１】
また、定着部１１３の温度が定着可能温度に到達し（Ｓ４でＹＥＳ）、その後に指示受付部１２からプリント指示を受け付けたことを示す信号が入力された場合には（Ｓ５でＹＥＳ）、第１実施形態として図６に示したＳ１８以降の処理が行われる。
【００８２】
また、複合機１がスリープ状態のときに、指示受付部１２からプリント指示を受け付けたことを示す信号が入力された場合は（Ｓ１５でＹＥＳ）、定着部１１３の急速立ち上げが行われるが（Ｓ１６）、定着ローラが定着可能温度に到達すると（Ｓ１７でＹＥＳ）、処理はＳ１９に移行し、Ｓ１９以降の処理が行われる。
【００８３】
次に、複合機１における定着ヒータ駆動制御時の処理について第３実施形態を説明する。図１０及び図１１は、複合機１における定着ヒータ駆動制御時の処理について第３実施形態を示すフローチャートである。なお、図９と同様の処理は図示及び説明を省略し、また、図１０及び図１１においては、図５及び図６に示した第１実施形態、図８及び図９に示した第２実施形態と同様の処理は同符号を付して説明を省略する。
【００８４】
本第３実施形態は、条件に応じて、上記第１実施形態及び第２実施形態で示した両方の処理を行うものである。複合機１のメインスイッチ２２（主電源スイッチ）が、オンとされたことを電源制御回路２１が検知し（Ｓ１でＹＥＳ）、蓄電量検出部２８が、当該信号を電源制御回路２１から受け取ると、蓄電量検出部２８は、電気二重層キャパシタ１９の蓄電量が所定量に達しているかを検出する。
【００８５】
そして、状態判別部１５２は、まず、蓄電量検出部２８によって検出された上記蓄電量が、上記Ｐ１＋Ｐ２に達しているか否かを判別する（Ｓ２）。状態判別部１５２によって、上記Ｐ１＋Ｐ２に達していると判別された場合（Ｓ２でＹＥＳ）、スイッチ制御部１５３は複合機１を初期立ち上げ状態とする。動作制御部１５０は、定着ローラが定着可能温度に到達した後にプリント指示があれば（Ｓ３，Ｓ４でＹＥＳ，Ｓ５でＹＥＳ）、即座に、第１定着ヒータ１７による加熱補助を受けながら通常速度で行われる画像記録動作を実行させる（Ｓ１９，Ｓ２０，Ｓ７）。
【００８６】
また、上記Ｓ２において、蓄電量検出部２８によって検出された上記蓄電量が、上記Ｐ１＋Ｐ２には達していないが（Ｓ２でＮＯ）、Ｐ１には達していると状態判別部１５２によって判別された場合は（Ｓ３１でＹＥＳ）、動作制御部１５０は、定着ローラが定着可能温度に到達した後にプリント指示があった場合であっても（Ｓ４１，Ｓ４２でＹＥＳ，Ｓ４３でＹＥＳ）、即座には、第１定着ヒータ１７による加熱補助を受けながら通常速度で行われる画像記録動作を実行させない。蓄電量検出部２８によって検出された電気二重層キャパシタ１９の電力量が上記電力量Ｐ２に達していると状態判別部１５２が判別した場合にのみ（Ｓ１８でＹＥＳ）、動作制御部１５０は、第１定着ヒータ１７による加熱補助を受けながら通常速度で行われる画像記録動作を実行させる（Ｓ１９，Ｓ２０，Ｓ７）。蓄電量検出部２８によって検出された電気二重層キャパシタ１９の電力量が上記電力量Ｐ２に達していないと状態判別部１５２が判別した場合は（Ｓ１８でＮＯ）、第２定着ヒータ２６のみの駆動による低速の記録動作が動作制御部１５０によって実行される（Ｓ２１，Ｓ２２，Ｓ７）。
【００８７】
なお、本発明は、上記実施形態のものに限定されるものではなく、更に以下に述べる態様を採用することができる。例えば、上記各実施形態では、補助電源として電気二重層キャパシタ１９を用いているが、電気二重層キャパシタ１９は一例に過ぎず、他のものを用いても構わない。
【００８８】
また、上記実施形態では、図５のＳ２、図８のＳ３１，Ｓ１８等における補助電源の蓄電量の判別を、蓄電量検出部２８によって検出される電気二重層キャパシタ１９の蓄電量に基づいて、状態判別部１５２が行うものとしているが、例えば、補助電源として、電気二重層キャパシタ１９に代えてリチウムイオン電池を備えるようにし、蓄電量検出部２８によって検出されるリチウムイオン電池の蓄電量に基づいて、状態判別部１５２が、上述した判別を行うものとしてもよい。
【００８９】
また、補助電源として、電気二重層キャパシタ１９に加えて更にリチウムイオン電池も備え、蓄電量検出部２８が電気二重層キャパシタ１９及びリチウムイオン電池の各蓄電量を検出し、これらを合算した蓄電量に基づいて、状態判別部１５２が、上述した判別を行うようにしてもよい。
【００９０】
また、上記実施形態においては、第１定着ヒータ１７にはＤＣ電流が流れ、第２定着ヒータ２６にはＡＣ電流が流れるように構成されているが、本発明は、各定着ヒータに流される電流にＡＣを用いるかＤＣを用いるかに限定されるものではない。
【００９１】
また、上記図１乃至図１１に示した構成及び処理は、本発明の単なる一実施形態に過ぎず、本発明の構成及び処理をこれらに限定するものではない。
【図面の簡単な説明】
【００９２】
【図１】本発明に係る画像形成装置の一実施形態である複合機の内部構成を示すブロック図であり、特に定着ローラを加熱する定着ヒータのオン／オフを制御する定着ヒータ制御機構を中心とした機能構成図である。
【図２】複合機の各状態種別及び、各状態から他の状態に遷移する契機となるイベントの種別とを示す状態遷移情報である。
【図３】複合機の各状態におけるヒータＯＮ／ＯＦＦ制御回路、リレースイッチ、充電ＯＮ／ＯＦＦ制御回路及び第２定着ヒータ駆動回路の状態を示す図である。
【図４】定着ヒータ制御機構の回路イメージ（概略）を示す回路図である。
【図５】複合機による定着ヒータ駆動制御時の処理の第１実施形態を示すフローチャートである。
【図６】複合機による定着ヒータ駆動制御時の処理の第１実施形態を示すフローチャートである。
【図７】複合機の動作状態と、各動作状態における使用電力と、補助電源の蓄電量との関係を示す図である。
【図８】複合機による定着ヒータ駆動制御時の処理の第２実施形態を示すフローチャートである。
【図９】複合機による定着ヒータ駆動制御時の処理の第２実施形態を示すフローチャートである。
【図１０】複合機による定着ヒータ駆動制御時の処理の第３実施形態を示すフローチャートである。
【図１１】複合機による定着ヒータ駆動制御時の処理の第３実施形態を示すフローチャートである。
【符号の説明】
【００９３】
１          複合機
２          外部電源
１１        記録部
１１２      画像形成部
１１３      定着部
１４        定着ローラ温度センサ
１５        制御部
１５０      動作制御部
１５１      定着ローラ温度制御部
１５２      状態判別部
１５３      スイッチ制御部
１５４      表示制御部
１７        第１定着ヒータ
１８        ヒータＯＮ／ＯＦＦ制御回路
１９        電気二重層キャパシタ
２５        充電ＯＮ／ＯＦＦ制御回路
２６        第２定着ヒータ
２７        第２定着ヒータ駆動回路
２８        蓄電量検出部
２９        表示部
３０        定着ヒータ
【図１】
0004421529.tif 000002
【図２】
0004421529.tif 000003
【図３】
0004421529.tif 000004
【図４】
0004421529.tif 000005
【図５】
0004421529.tif 000006
【図６】
0004421529.tif 000007
【図７】
0004421529.tif 000008
【図８】
0004421529.tif 000009
【図９】
0004421529.tif 000010
【図１０】
0004421529.tif 000011
【図１１】
0004421529.tif 000012